(57)【要約】【課題】ＰＯＮシステムにおける警報通知方法、加入者宅側終端装置及び局側端局装置に関し、加入者宅側終端装置で警報情報の発生を検出してから局側端局装置に通知するまでの時間を短縮し、局側端局装置が該警報情報に対する処理が早期に開始されるようにする。【解決手段】加入者宅側終端装置（ＯＮＵ）では、自装置内の警報情報の発生を検出したとき（１−１）、該警報情報をＭＰＣＰプロトコルの制御フレームに格納した警報通知制御フレームを生成し、該警報通知制御フレームをＧＡＴＥフレームで通知（１−２）された送信開始タイミングで、局側端局装置（ＯＬＴ）に送信（１−３）する。局側端局装置（ＯＬＴ）は、加入者宅側終端装置（ＯＮＵ）から制御フレームを受信し、該制御フレームを解析し、該制御フレームが前記警報通知制御フレームであると判定したときに、該警報通知制御フレームに格納された警報情報を制御端末に出力する。【選択図】図１
2008011287.tif 000002
【特許請求の範囲】
【請求項１】
１つの局側端局装置に複数の加入者宅側終端装置が光ファイバ及びカプラを介して接続されたＰＯＮシステムの警報通知方法において、
前記加入者宅側終端装置は、自装置内の警報情報の発生を検出したとき、該警報情報を、前記局側端局装置との間の制御プロトコルであるマルチポイントコントロールプロトコル（ＭＰＣＰ）により送受される制御フレームに格納した警報通知制御フレームを生成し、該警報通知制御フレームを、前記マルチポイントコントロールプロトコル（ＭＰＣＰ）のＧＡＴＥフレームで通知された送信開始タイミングで前記局側端局装置に送信する過程と、
前記局側端局装置は、前記加入者宅側終端装置から前記マルチポイントコントロールプロトコル（ＭＰＣＰ）による制御フレームを受信し、該制御フレームを解析し、該制御フレームが前記警報通知制御フレームであると判定したときに、該警報通知制御フレームに格納された警報情報を制御端末に出力する過程と、
を含むことを特徴とするＰＯＮシステムにおける警報通知方法。
【請求項２】
１つの局側端局装置に複数の加入者宅側終端装置が光ファイバ及びカプラを介して接続されたＰＯＮシステムの加入者宅側終端装置において、
前記加入者宅側終端装置は、自装置内の警報情報の発生を検出したとき、該警報情報を、前記局側端局装置との間の制御プロトコルであるマルチポイントコントロールプロトコル（ＭＰＣＰ）により送受される制御フレームに格納した警報通知制御フレームを生成するフレーム生成手段と、
前記警報通知制御フレームを、前記マルチポイントコントロールプロトコル（ＭＰＣＰ）のＧＡＴＥフレームで通知された送信開始タイミングで前記局側端局装置に送信する手段と、
を備えたことを特徴とするＰＯＮシステムにおける加入者宅側終端装置。
【請求項３】
１つの局側端局装置に複数の加入者宅側終端装置が光ファイバ及びカプラを介して接続されたＰＯＮシステムの局側端局装置において、
前記局側端局装置は、前記加入者宅側終端装置との間の制御プロトコルであるマルチポイントコントロールプロトコル（ＭＰＣＰ）による制御フレームを前記加入者宅側終端装置から受信し、該制御フレームを解析する手段と、
前記制御フレームが、前記加入者宅側終端装置における警報情報を格納した警報通知制御フレームであると判定したときに、該警報通知制御フレームに格納された警報情報を制御端末に出力する手段と、
を備えたことを特徴とするＰＯＮシステムにおける局側端局装置。
【請求項４】
前記加入者宅側終端装置からのマルチポイントコントロールプロトコル（ＭＰＣＰ）のＲＥＰＯＲＴフレームによる帯域要求に対するＧＡＴＥフレームによる送信開始タイミング及び帯域の通知後に、該送信開始タイミング及び帯域で該加入者宅側終端装置から送信されるＯＡＭフレームにより通知される警報情報を前記制御端末に出力する手段を備えたことを特徴とする請求項３に記載のＰＯＮシステムにおける局側端局装置。
【発明の詳細な説明】
【技術分野】
【０００１】
本発明は、ＰＯＮシステムにおける警報通知方法、加入者宅側終端装置及び局側端局装置に関し、特に、ギガビットイーサネット（登録商標）の規格に準拠したＰＯＮ（Passive Optical Network）システムにおける警報通知方法、加入者宅側終端装置及び局側端局装置に関する。
【背景技術】
【０００２】
現在、光ファイバを用いた通信システムは、局側端局装置（ＯＬＴ：Optical Line Terminal）と加入者宅側終端装置間（ＯＮＵ：Optical Network Unit）とを１対１で接続するシングルスター方式と、局側端局装置（ＯＬＴ）と加入者宅側終端装置（ＯＮＵ）との間を１対ｎで接続するダブルスター方式とがある。本発明に係るＰＯＮシステムは、局側端局装置（ＯＬＴ）と加入者宅側終端装置（ＯＮＵ）とが１対ｎで接続されるダブルスター方式である。
【０００３】
ＰＯＮシステムは、局側端局装置（ＯＬＴ）と加入者宅側終端装置（ＯＮＵ）との間を同期転送モード（ＳＴＭ：Synchronous Transfer Mode）方式で通信するＳＴＭ−ＰＯＮ、非同期転送モード（ＡＴＭ：Asynchronous Transfer Mode）方式で通信するＢ−ＰＯＮ，Ａ−ＰＯＮ及びＥｔｈｅｒｎｅｔ（登録商標）方式で通信するＥ−ＰＯＮ，ＧＥ−ＰＯＮに大別される。
【０００４】
本発明に係るダブルスター方式のＰＯＮシステムの概略構成を図５に示す。ダブルスター方式のＰＯＮシステムでは、１つの局側端局装置（ＯＬＴ）が光ファイバ及びカプラを介して複数の加入者宅側終端装置（ＯＮＵ）＃１〜＃Ｎと接続される。局側端局装置（ＯＬＴ）は、局側インタフェースとしてＳＮＩ（System Network Interface）、加入者側インタフェースとしてＰＯＮ−ＩＦ（PON-Interface）を具備する。一方、加入者宅側終端装置（ＯＮＵ）は、局側インタフェースとしてＰＯＮ−ＩＦ、加入者側インタフェースとしてＵＮｌ（User Network Interface）を具備する。
【０００５】
局側端局装置（ＯＬＴ）と加入者宅側終端装置（ＯＮＵ）＃１〜＃Ｎとの間のＰＯＮ区間の信号送受をＥｔｈｅｒｎｅｔ（登録商標）方式で行う通信システムでは、局側端局装置（ＯＬＴ）配下の加入者宅側終端装置（ＯＮＵ）＃１〜＃Ｎが一斉に送信データフレームを送出すると、複数の光ファイバを集約した箇所で該送信データフレームの衝突が起きてしまう。これを防ぐために、加入者宅側終端装置（ＯＮＵ）から局側端局装置（ＯＬＴ）への上り方向通信では時分割多重アクセス方式が採用されている。
【０００６】
Ｅｔｈｅｒｎｅｔ（登録商標）方式の通信でこの時分割多重アクセス方式を実現するために、局側端局装置（ＯＬＴ）は、配下に接続された全加入者宅側終端装置（ＯＮＵ）＃１〜＃Ｎとの間で、ＰＯＮ区間における閉じた制御プロトコルであるＭＰＣＰ（Multi Point Control Protocol）による制御フレームを常に送受している。この制御フレームには、局側端局装置（ＯＬＴ）側から送信するＧＡＴＥフレーム（Ｏｐｃｏｄｅ：００−０２）及び加入者宅側終端装置（ＯＮＵ）側から送信するＲＥＰＯＲＴフレーム（Ｏｐｃｏｄｅ：００−０３）などが有る。
【０００７】
ＧＡＴＥフレームは、局側端局装置（ＯＬＴ）側から加入者宅側終端装置（ＯＮＵ）に上り方向通信のための送信開始タイミング及び帯域を通知する制御フレームであり、ＲＥＰＯＲＴフレームは、加入者宅側終端装置（ＯＮＵ）側から上り方向通信を行うために必要な帯域を局側端局装置（ＯＬＴ）に要求する制御フレームである。なお、これら制御フレームの他に、警報通知・監視・制御・メンテナンスを行うためのＯＡＭ（Operation Administration and Maintenance）フレームがＰＯＮ区間で送受される。
【０００８】
図６の（ａ）にＲＥＰＯＲＴフレームのフォーマットを示す。また、図６の（ｂ）に従来の警報検出から通知までのシーケンスを示す。加入者宅側終端装置（ＯＮＵ）が自装置内の異常を検知し、何らかの警報情報をＯＡＭフレームにより送信して局側端局装置（ＯＬＴ）に通知する場合（６−１）、上り方向通信は時分割多重アクセス方式であるため、局側端局装置（ＯＬＴ）からＧＡＴＥフレームを受信し（６−２）、該ＧＡＴＥフレームにより通知される自装置に割り当てられた送信開始タイミングの到来を待って、帯域要求のためのＲＥＰＯＲＴフレームを送信する（６−３）。
【０００９】
加入者宅側終端装置（ＯＮＵ）は、このＲＥＰＯＲＴフレームで警報情報通知のためのＯＡＭフレーム送信に必要な帯域を局側端局装置（ＯＬＴ）に要求し、局側端局装置（ＯＬＴ）は該要求に対してＧＡＴＥフレームによりＯＡＭフレーム送信のための送信開始タイミング及び帯域を加入者宅側終端装置（ＯＮＵ）に通知する（６−４）。
【００１０】
上記ＧＡＴＥフレームを受信した加入者宅側終端装置（ＯＮＵ）は、局側端局装置（ＯＬＴ）により割り当てられた送信開始タイミングを待って警報通知のＯＡＭフレームを送信する（６−５）。このため、加入者宅側終端装置（ＯＮＵ）は、通知すべき警報情報発生の検出後も、ＯＡＭフレームの送信が可能となるまで、該警報情報を保持しておかなければならならない。また、このときに、ＯＡＭレイヤにおいてリンク断状態となった場合、警報を通知することができない。
【００１１】
更に、ＧＥ−ＰＯＮの上り方向通信は、局側端局装置（ＯＬＴ）によって動的に帯域が割り当てられるが、加入者宅側終端装置（ＯＮＵ）毎に個別に割り当てられるＬＬＩＤ（Logical Link ID）と呼ばれる論理パスが多ければ多いほど、帯域割り当てに要する時間は長くなり、加入者宅側終端装置（ＯＮＵ）から警報通知を行うことができなくなる確立が高くなる。
【００１２】
下記の特許文献１には、ＧＥ−ＰＯＮギガシステムにおいて、初期ＯＮＵ登録、追加ＯＮＵ登録、レンジング及び動的帯域幅割当て等の機能を具現する方法について、(ａ)ＯＬＴが初期駆動後に周期的に同期信号を複数のＯＮＵの各々に伝送して複数のＯＮＵの各々が周期的に伝送される同期信号の中の一つに同期を合わせる過程と、(ｂ)同期信号の中の一つに同期を合わせたＯＮＵが、グラント(上向きデータ伝送機会割当て)フレームに含まれた初期登録要求フレームの伝送開始時点と伝送時間長さとを把握し、初期登録要求フレームの伝送時点に他のＯＮＵとのデータ衝突を避けるためのランダム遅延以後、初期登録要求フレームをＯＬＴへ伝送する過程と、(ｃ)初期登録要求フレームを受けたＯＬＴが、グラントフレームに与えた初期登録要求フレームの伝送開始時点から予想される予想フレーム到着時間と実際フレーム到着時間との差を計算し、ランダム遅延値を用いてＲＴＴ(Round Trip Time)を計算する過程と、(ｄ)ＲＴＴの計算後、ＯＬＴが、ＯＮＵリストにＯＮＵ登録を要求するＯＮＵを登録し、そのＯＮＵの各々に対する新たなＯＮＵ ＩＤを与えた後、この新たなＯＮＵ ＩＤ及びＲＴＴを含む登録応答フレームを、ＯＮＵ登録を要求するＯＮＵへ伝送する過程と、を備えてなることを特徴とするＧＥ―ＰＯＮシステムの動作具現方法について記載されている。
【００１３】
また、下記の特許文献２には、ＤＢＡ（Dynamic Bandwidth Assignment：動的帯域割当）対応のＢ−ＰＯＮ（Broadband Passive Optical Network）又は「ATM Forum Traffic Management 4.1」に記載されたＡＢＲ（Available Bit Rate）コネクションを収容する装置において、帯域を動的に分配するために用いられる帯域割当回路について記載されている。
【特許文献１】特開２００３−２４４１７８号公報
【特許文献２】特開２００３−２５８８８３号公報
【発明の開示】
【発明が解決しようとする課題】
【００１４】
本発明は、加入者宅側終端装置（ＯＮＵ）において、局側端局装置（ＯＬＴ）に通知すべき警報情報の発生を検出してから該警報情報を局側端局装置（ＯＬＴ）に通知するまでの時間を短縮し、局側端局装置（ＯＬＴ）が該警報情報に対する処理が早期に開始されるようにすることにより警報通知のクオリティを高めることを目的とする。
【課題を解決するための手段】
【００１５】
本発明のＰＯＮシステムにおける警報通知方法は、加入者宅側終端装置では、自装置内の警報情報の発生を検出したとき、該警報情報を、局側端局装置との間の制御プロトコルであるマルチポイントコントロールプロトコル（ＭＰＣＰ）により送受される制御フレームに格納した警報通知制御フレームを生成し、該警報通知制御フレームを、前記マルチポイントコントロールプロトコル（ＭＰＣＰ）のＧＡＴＥフレームで通知された送信開始タイミングで前記局側端局装置に送信する過程と、前記局側端局装置は、前記加入者宅側終端装置から前記マルチポイントコントロールプロトコル（ＭＰＣＰ）による制御フレームを受信し、該制御フレームを解析し、該制御フレームが前記警報通知制御フレームであると判定したときに、該警報通知制御フレームに格納された警報情報を制御端末に出力する過程と、を含むことを特徴とする。
【００１６】
また、本発明のＰＯＮシステムにおける加入者宅側終端装置は、自装置内の警報情報の発生を検出したとき、該警報情報を、局側端局装置との間の制御プロトコルであるマルチポイントコントロールプロトコル（ＭＰＣＰ）により送受される制御フレームに格納した警報通知制御フレームを生成するフレーム生成手段と、前記警報通知制御フレームを、前記マルチポイントコントロールプロトコル（ＭＰＣＰ）のＧＡＴＥフレームで通知された送信開始タイミングで前記局側端局装置に送信する手段と、を備えたことを特徴とする。
【００１７】
また、本発明のＰＯＮシステムにおける局側端局装置は、加入者宅側終端装置との間の制御プロトコルであるマルチポイントコントロールプロトコル（ＭＰＣＰ）による制御フレームを加入者宅側終端装置から受信し、該制御フレームを解析する手段と、前記制御フレームが、前記加入者宅側終端装置における警報情報を格納した警報通知制御フレームであると判定したときに、該警報通知制御フレームに格納された警報情報を制御端末に出力する手段と、を備えたことを特徴とする。
【００１８】
また、前記加入者宅側終端装置からのマルチポイントコントロールプロトコル（ＭＰＣＰ）のＲＥＰＯＲＴフレームによる帯域要求に対するＧＡＴＥフレームによる送信開始タイミング及び帯域の通知後に、該送信開始タイミング及び帯域で該加入者宅側終端装置から送信されるＯＡＭフレームにより通知される警報情報を前記制御端末に出力する手段を備えたことを特徴とする。
【発明の効果】
【００１９】
本発明は、ＲＥＰＯＲＴフレームによる帯域要求が必要なＯＡＭフレームを用いることなく、マルチポイントコントロールプロトコル（ＭＰＣＰ）により送受される制御フレームを用いて加入者宅側終端装置（ＯＮＵ）から局側端局装置（ＯＬＴ）へ警報情報を通知する構成としたことにより、ＲＥＰＯＲＴフレームによる帯域要求を行うことなく、迅速に警報情報を局側端局装置（ＯＬＴ）へ通知することができる。
【００２０】
加入者宅側終端装置（ＯＮＵ）における警報発生検出から警報通知までの時間が短縮されたことにより、局側端局装置（ＯＬＴ）が該警報情報に対する処理を早期に開始することができ、警報通知のクオリティを高めることができる。また、ＯＡＭフレームを用いず、制御フレームにより警報通知を行うことにより、警報通知の信頼性を高めることができる。
【００２１】
何故なら、従来のようにＯＡＭフレームによる警報通知では、ＯＡＭレイヤがリンク断により警報通知が不能となるが、それより下位のＭＰＣＰのプロトコルによる制御フレームレイヤのみ確立していれば、本発明による警報情報を局側端局装置（ＯＬＴ）へ送信することが可能であるためである。
【００２２】
また、加入者宅側終端装置（ＯＮＵ）における警報発生検出から警報通知までの時間が短縮されたことにより、加入者宅側終端装置（ＯＮＵ）において警報情報が通知可能となるまで警報情報を保持しておく時間が短縮され、例えば、加入者宅側終端装置（ＯＮＵ）の電源断等の警報を通知する場合、該電源断等の警報情報を保持しておくための給電用蓄電器等の容量を小さくすることが可能となる。
【発明を実施するための最良の形態】
【００２３】
本発明では、局側端局装置（ＯＬＴ）と加入者宅側終端装置（ＯＮＵ）との間で連続してやり取りされているマルチポイントコントロールプロトコル（ＭＰＣＰ）の制御フレームに警報通知機能を付与する。図１の（ａ）に本発明で用いる制御フレームのフォーマット、（ｂ）に加入者宅側終端装置（ＯＮＵ）における警報情報発生検出から警報情報通知までのシーケンスを示す。
【００２４】
本発明では、既定のマルチポイントコントロールプロトコル（ＭＰＣＰ）の制御フレーム内に存在するＯｐｃｏｄｅフィールドを用いて警報の種別を示し、Ｆｌａｇフィールドを用いて警報の発生又は回復を示す。図１（ｃ）にＯｐｃｏｄｅフィールド及びＦｌａｇフィールドで示す警報種別及び警報の発生／回復を示すコードの一例を示す。
【００２５】
加入者宅側終端装置（ＯＮＵ）において、警報情報の発生を検出すると（１−１）、該警報情報を制御フレームに格納した警報通知制御フレームを生成し、ＧＡＴＥフレームを局側端局装置から受信（１−２）した後に、該ＧＡＴＥフレームで通知された送信開始タイミングで、警報通知制御フレームを局側端局装置に送信する（１−３）。このように、制御フレームに警報通知機能を付与することにより、加入者宅側終端装置（ＯＮＵ）から警報情報を制御フレームにより瞬時に局側端局装置（ＯＬＴ）に通知することができる。
【００２６】
本発明における局側端局装置（ＯＬＴ）の機能ブロックを図２（ａ）に示す。局側端局装置（ＯＬＴ）において、ＰＯＮインタフェース部２−１０から受信したフレームを、ＰＯＮブリッジ部２−１１で制御フレームとＯＡＭフレームとユーザデータフレームとに分け、ユーザデータフレームは、ＳＮＩ物理レイヤ部（ＰＨＹ）２−１２を経てＳＮＩインタフェース部２−１３へ転送する。
【００２７】
制御フレームは、ＰＯＮブリッジ部２−１１によりＭＰＣＰ機能部２−１４へ転送され、フレーム解析部２−１５にて制御フレームを解析し、加入者宅側終端装置（ＯＮＵ）からの帯域要求メッセージを含むＲＥＰＯＲＴフレームに対しては、ＤＢＡ（動的帯域割当）スケジューラ２−１６で各論理パス（ＬＬＩＤ）に対して上り時分割多重アクセスのスケジューリングを行う。そして、その結果を基にフレーム生成部２−１７でＧＡＴＥフレームを生成し、該ＧＡＴＥフレームをＰＯＮブリッジ部２−１１へ転送する。
【００２８】
ＯＡＭフレームを加入者宅側終端装置（ＯＮＵ）より受信したときは、ＰＯＮブリッジ部２−１１においてＯＡＭフレームを判別してＯＡＭ機能部２−１８へ転送する。局側端局装置（ＯＬＴ）が警報通知機能付きの制御フレームを受信した場合は、フレーム解析部２−１５にて制御フレームを解析し、該警報通知機能付きの制御フレームをＯＡＭ機能部２−１８へ転送する。
【００２９】
警報通知機能付きの制御フレームを受信したＯＡＭ機能部２−１８は、該制御フレームを解析し、図示省略の制御端末に該当加入者宅側終端装置（ＯＮＵ）の警報情報を出力する。この構成により、局側端局装置（ＯＬＴ）は、制御フレームに警報情報が格納された警報通知フレームを受信し、警報通知に対して従来と同様にＯＡＭ機能部２−１８で処理する。
【００３０】
本発明の加入者宅側終端装置（ＯＮＵ）の機能ブロックを図２（ｂ）に示す。加入者宅側終端装置（ＯＮＵ）では、ＰＯＮインタフェース部２−２０から受信したフレームを、ＰＯＮブリッジ部２−２１で制御フレームとＯＡＭフレームとユーザフレームに分け、ユーザデータは、ＵＮＩ物理レイヤ部（ＰＨＹ）２−２２を経てＵＮＩインタフェース部２−２３へ転送する。
【００３１】
制御フレームは、ＰＯＮブリッジ部２−２１によりＭＰＣＰ機能部２−２９へ転送され、ＧＡＴＥ処理部２−２４にて制御フレームを解析し、ＲＥＰＯＲＴフレームはその要求内容に従ってＲＥＰＯＲＴ処理部２−２５へ転送する。ＲＥＰＯＲＴ処理部２−２５は、入力されたＲＥＰＯＲＴフレームの要求内容と併せて、ＲＥＰＯＲＴフレームのデータ部の要求帯域分についてＰＯＮブリッジ部２−２１を解析し、この解析結果よりフレーム生成部２−２６でフレームを生成し、ＰＯＮブリッジ部２−２１を介して局側端局装置（ＯＬＴ）へＲＥＰＯＲＴフレームを送信する。ＯＡＭフレームについては、ＰＯＮブリッジ部２−２１によりＯＡＭ処理部２−２８へ転送される。
【００３２】
加入者宅側終端装置（ＯＮＵ）が警報情報発生を検出した場合は、警報検出部２−２７にて検出した警報情報をフレーム生成部２−２６へ転送し、フレーム生成部２−２６において制御フレームに警報情報を格納した警報通知機能付き制御フレームを生成し、該警報通知機能付き制御フレームを、ＰＯＮブリッジ部２−２１を介して、自装置に割り当てられた送信開始タイミングで局側端局装置（ＯＬＴ）へ送信する。この構成により、警報発生を検出した加入者宅側終端装置（ＯＮＵ）は、制御フレームに警報情報を付加して局側端局装置（ＯＬＴ）へ通知することが可能となる。
【００３３】
次に、警報通知機能付き制御フレームを送信可能な加入者宅側終端装置（ＯＮＵ）と、該警報通知機能付き制御フレームが送信不可能な加入者宅側終端装置（ＯＮＵ）とが混在するＧＥ−ＰＯＮネットワークにおける局側端局装置（ＯＬＴ）について説明する。
【００３４】
ＰＯＮシステムは、図５に示したように局側端局装置（ＯＬＴ）の配下に複数の加入者宅側終端装置（ＯＮＵ）＃１〜＃Ｎを接続することができるシステムである。ここで、加入者宅側終端装置（ＯＮＵ）＃１〜＃Ｎのうちの一つが本発明による制御フレームにより警報通知機能を搭載していない場合、この加入者宅側終端装置（ＯＮＵ）からは従来のようにＲＥＰＯＲＴフレームを用いた帯域割り当て要求後のＯＡＭフレームで加入者宅側終端装置（ＯＮＵ）の警報通知を受信して警報情報を認識しなければならない。
【００３５】
上記の場合のＰＯＮシステムにおける局側端局装置（ＯＬＴ）では、従来のＯＡＭフレームによる警報通知を受信し、ＰＯＮブリッジ部２−１１で該ＯＡＭフレームをＯＡＭ機能部２−１８へ転送し、ＯＡＭ機能部２−１８では他のＯＡＭフレームと同様に解析し、ＯＡＭフレームによる警報通知情報を制御端末などへ出力する。
【００３６】
このように構成することにより、局側端局装置（ＯＬＴ）は、本発明による警報通知機能を付与した制御フレームと従来の警報通知ＯＡＭフレームとが混在して送信されるＰＯＮシステムであっても、制御フレームとＯＡＭフレームの何れのフレームによる警報通知に対しても認識可能となる。
【実施例１】
【００３７】
図３に本発明の実施例を示す。同図（ａ）に示すように本実施例は、局側端局装置（ＯＬＴ）の配下に３２台の加入者宅側終端装置（ＯＮＵ）＃１〜＃３２が接続され、これら加入者宅側終端装置（ＯＮＵ）＃１〜＃３２は、本発明の制御フレームに警報通知機能を付与する方式の加入者宅側終端装置（ＯＮＵ）と従来のＯＡＭフレームによる警報通知方式の加入者宅側終端装置（ＯＮＵ）とが混在するものとする。
【００３８】
図３の実施例において、加入者宅側終端装置（ＯＮＵ）＃１は、本発明による制御フレームに警報通知機能を付与する方式を採用しているものとする。ここで、加入者宅側終端装置（ＯＮＵ）＃１の電源が切断されたとすると、加入者宅側終端装置（ＯＮＵ）＃１は電源切断検出と同時に給電を内部電源に切り替えて警報通知機能を付与した制御フレームを生成し、該制御フレームを局側端局装置（ＯＬＴ）へ送信する。このときのシーケンスを図３（ｂ）に、電源断情報を付与した制御フレームを図３（ｃ）にそれぞれ示す。
【００３９】
また、本実施例の局側端局装置（ＯＬＴ）のＧＡＴＥフレームの送信間隔は１ｍｓ、加入者宅側終端装置（ＯＮＵ）及び局側端局装置（ＯＬＴ）は共に遅延時間（レイテンシ）がゼロであると仮定し、加入者宅側終端装置（ＯＮＵ）がＧＡＴＥフレームを受信してから制御フレームを生成し、局側端局装置（ＯＬＴ）へ制御フレームを送信するまでに要する時間はゼロとする。
【００４０】
このような場合、図３（ｂ）に示すように、局側端局装置（ＯＬＴ）からＧＡＴＥフレームを受信し（３−１）、該ＧＡＴＥフレームに対してＲＥＰＯＲＴフレームを送信（３−２）した直後に、加入者宅側終端装置（ＯＮＵ）内において警報情報の発生を検出（３−３）したとすると、次のＧＡＴＥフレームを受信（３−４）した直後に警報通知機能を付与した制御フレームを送信する（３−５）。以上より、電源断等の警報発生を検出してから、加入者宅側終端装置（ＯＮＵ）が警報通知までに要する時間は最大１ｍｓとなる。
【００４１】
これに対して、ＯＡＭフレームによる警報通知方式の加入者宅側終端装置（ＯＮＵ）＃２が電源断を検出したときの警報通知シーケンスを図４に示す。この場合も加入者宅側終端装置（ＯＮＵ）及び局側端局装置（ＯＬＴ）は共に遅延時間（レイテンシ）がゼロであると仮定し、加入者宅側終端装置（ＯＮＵ）がＯＡＭフレーム送信のためのＲＥＰＯＲＴフレーム生成に要する時間、局側端局装置（ＯＬＴ）がＲＥＰＯＲＴフレームを受信した後、ＧＡＴＥフレーム送信に要する時間もゼロと仮定する。
【００４２】
以上の場合、局側端局装置（ＯＬＴ）からＧＡＴＥフレームを受信し（４−１）、該ＧＡＴＥフレームに対してＲＥＰＯＲＴフレームを送信（４−２）した直後に、加入者宅側終端装置（ＯＮＵ）内において警報情報の発生を検出（４−３）したとすると、次のＧＡＴＥフレームを受信（４−４）した後に、ＯＡＭフレーム送信の帯域要求のためのＲＥＰＯＲＴフレームを送信し（４−５）、該ＲＥＰＯＲＴフレームに対するＧＡＴＥフレームを受信した後に（４−６）、ＯＡＭフレームによる警報通知を送信する（３−７）。
【００４３】
従って、加入者宅側終端装置（ＯＮＵ）＃２が電源断を検出してから局側端局装置（ＯＬＴ）へＯＡＭフレームによる警報通知まで要する時間は最大２ｍｓとなる。本発明による制御フレームによる警報通知は、従来のＯＡＭフレームによる警報通知に比べて、刑法情報検出から警報通知までの時間を短縮し、これによって加入者宅側終端装置（ＯＮＵ）内部回路における警報情報の保持と送信のための給電のための蓄電器等の容量を小さくすることが可能となる。
【図面の簡単な説明】
【００４４】
【図１】本発明で用いる制御フレームのフォーマット、本発明による警報情報発生検出から警報情報通知までのシーケンス、警報種別と警報の発生／回復を示すコードの一例を示す図である。
【図２】本発明における局側端局装置（ＯＬＴ）及び加入者宅側終端装置（ＯＮＵ）の機能ブロックを示す図である。
【図３】本発明の実施例を示す図である。
【図４】ＯＡＭフレームによる警報通知方式の警報通知シーケンスを示す図である。
【図５】ダブルスター方式のＰＯＮシステムの概略構成を示す図である。
【図６】ＲＥＰＯＲＴフレームのフォーマット、従来の警報検出から通知までのシーケンスを示す図である。
【符号の説明】
【００４５】
２−１０  ＰＯＮインタフェース部
２−１１  ＰＯＮブリッジ部
２−１２  ＳＮＩ物理レイヤ部（ＰＨＹ）
２−１３  ＳＮＩインタフェース部
２−１４  ＭＰＣＰ機能部
２−１５  フレーム解析部
２−１６  ＤＢＡ（動的帯域割当）スケジューラ
２−１７  フレーム生成部
２−１８  ＯＡＭ機能部
２−２０  ＰＯＮインタフェース部
２−２１  ＰＯＮブリッジ部
２−２２  ＵＮＩ物理レイヤ部（ＰＨＹ）
２−２３  ＵＮＩインタフェース部
２−２４  ＧＡＴＥ処理部
２−２５  ＲＥＰＯＲＴ処理部
２−２６  フレーム生成部
２−２７  警報検出部
２−２８  ＯＡＭ処理部
２−２９  ＭＰＣＰ機能部
【図１】
2008011287.tif 000003
【図２】
2008011287.tif 000004
【図３】
2008011287.tif 000005
【図４】
2008011287.tif 000006
【図５】
2008011287.tif 000007
【図６】
2008011287.tif 000008